(57)【要約】【課題】  移動体通信端末の利用者が意図しない迷惑メールを受信することを防止する。【解決手段】  ユーザは予め本文にＵＲＬが含まれているメールを受信してもよい相手に予め設定パスワードを通知し、メールサーバ１の配信拒否設定部２２に配信拒否設定をし、設定パスワード記憶部２３に設定パスワードを記憶しておく。メールサーバ１は、メールサーバ１に送信されたメールの本文にＵＲＬが含まれているか否かを検索し、含まれていた場合は、配信拒否設定部２２を確認する。配信拒否設定部２２が配信拒否設定になっていた場合は、配信パスワード検索手段１２がメールに含まれている配信パスワードを検索し、配信パスワードと設定パスワードとが一致しているか否かをパスワード判定手段１３が行う。一致していたと判定した場合は、ユーザに対してメールを送信し、一致していないと判定した場合は、メールを削除する。【選択図】  図３
2005086291.tif 000002
【特許請求の範囲】
【請求項１】
移動通信網に接続され、前記移動通信網に無線接続される移動通信端末とインターネット網に接続されるコンピュータとの間で送受信されるメールの制御を行うメールサーバが、前記コンピュータから送信されたメールの本文にＵＲＬが含まれている否かを検索するＵＲＬ検索過程と、
前記メールサーバが、前記メールの本文にＵＲＬが含まれていた場合は、前記メールの送信先のユーザが、予め許可していない相手からのメールであり、且つ本文にＵＲＬが含まれているメールの受信を許可しているか否かを検索するメール受信拒否検索過程と、
前記メールサーバが、前記メール受信拒否検索過程において、予め許可していない相手からのメールであり、且つ本文にＵＲＬが含まれているメールの受信が許可されていない設定となっていた場合は、予め登録されていた設定パスワードと前記メールに含まれている配信パスワードとが一致するか否かを判定するパスワード判定過程と、
前記メールサーバが、前記パスワード判定過程において、前記設定パスワードと前記配信パスワードとが一致していると判定した場合のみ、前記メールの送信先に前記メールを送信するメール送信過程と、を有することを特徴とする電子メール受信拒否方法。
【請求項２】
前記メールサーバは、さらに前記移動通信端末間または前記コンピュータ間で送受信されるメールの制御を行うことを特徴とする請求項１記載の電子メール受信拒否方法。
【請求項３】
前記移動通信端末は携帯電話であることを特徴とする請求項１記載の電子メールの受信拒否方法。
【請求項４】
前記配信パスワードは前記メールの件名の先頭に組み込まれていることを特徴とする請求項１記載の電子メール受信拒否方法。
【請求項５】
前記メールは、前記件名、前記本文の他に、前記配信パスワードの項目を持つことを特徴とする請求項１記載の電子メール受信拒否方法。
【請求項６】
移動通信端末を利用するユーザ毎に、本文にＵＲＬが含まれているメールの受信を拒否するか否かを設定する配信拒否設定部と、
ユーザが予め許可した相手のみから本文にＵＲＬが含まれているメールを受信するための設定パスワードを登録するための設定パスワード記憶部と、を具備するユーザ情報記憶部と、
前記メールの本文にＵＲＬが含まれているか否かを検索するＵＲＬ検索手段と、
前記メールのメールアドレスから、前記ユーザ情報記憶部のどのユーザに宛てられたメールであるかを検索する手段と、
前記メールに含まれる配信パスワードを検索する配信パスワード検索手段と、
前記配信パスワードと前記設定パスワードとが一致するか否かを判定するパスワード判定手段と、を具備する条件判定手段と、
を有することを特徴とするメールサーバ。
【発明の詳細な説明】
【技術分野】
【０００１】
本発明は、利用者の意図しない電子メールを拒否する電子メール受信拒否方法に関し、特に不特定多数の移動通信端末に送信される迷惑メールの受信を拒否する電子メール受信拒否方法およびメールサーバに関するものである。
【背景技術】
【０００２】
近年の通信技術の飛躍的進歩に伴い、携帯電話やＰＨＳ(Personal Handyphone System)などの移動通信端末は単に通話のみにとどまらず、インターネットへの接続またはメールとしての利用も可能になってきている。特に、移動通信端末にメールの送受信機能が付加されたことにより、パソコンなどのコンピュータを所有しなくても手軽に情報伝達手段としてメールを利用することができるようになってきた。
【０００３】
上記のようなメールの送受信機能が備わった移動通信端末にメールを送信する場合、インターネットに接続されているパーソナルコンピュータやワークステーションなどのコンピュータまたはメールの送受信機能が備わった移動通信端末から、通信事業者、所謂キャリアが運営するメールサーバでメールを受信し、送信先の移動通信端末が電子メールを受信可能な場合にはそのままメールサーバからメールを送信し、受信不可能な場合はメールをメールサーバで保存し、その後受信可能な状態になったときにメールを送信する。
【０００４】
このように移動通信端末がメールの送受信機能を備えることにより手軽に情報伝達手段として電子メールを利用することができるようになったが、移動体通信端末の利用者（以下、ユーザ）が意図しないメール、所謂迷惑メールを受信することにより、ユーザにとって不利益が発生するようになってきた。
【０００５】
すなわち、迷惑メールを送信する業者は、従来のダイレクトメールなどの郵便を用いて広告や勧誘等を行う代わりに、不特定多数のユーザに対して業者が宣伝を行っているサイトのＵＲＬ(Uniform Resource Locator)を本文に記載したメールを送信し、業者が運営しているサイトにユーザを誘導することにより、コストを低く抑えつつ多くのユーザに対して宣伝を行っている。このような迷惑メールは、メールアドレスをランダムに作成して、一斉に不特定多数のユーザに対して送信する手法が取られ、ランダムに作成したメールアドレスに合致したユーザは迷惑メールを受信してしまう。
【０００６】
しかしながら、このような迷惑メールはユーザが意図しないメールであり、ユーザおよびキャリアに多くの不利益が発生する。一般に、移動通信端末を用いてメールの送受信を行う場合、ユーザに対して課金がなされるため、ユーザが意図しない迷惑メールを受信した場合においても、ユーザに対して課金がなされてしまう。また、迷惑メールは一度に多くの電子メールを送信するため、キャリアが運営するメールサーバの負担も非常に大きくなり、通常のメールの送受信を行うのに障害が発生することがある。また、ユーザが予期しない時間、例えば深夜に迷惑メールが届いた場合、メールの着信音により睡眠を妨害されるなどの問題もある。さらに、業者が運営するサイトが犯罪行為に抵触している場合も多く、このような場合、社会問題に発展するケースも多い。
【０００７】
このような迷惑メールの受信を拒否する方法として、メールアドレスを変更する方法が一般に採られている。しかしながら、ユーザにとってはメールアドレスを変更するという手間がある上に、迷惑メールを送信する業者がさらに変更されたメールアドレスを特定してしまうと、メールアドレスを変更したとしても、また迷惑メールを受信してしまうことがある。
【０００８】
そこで、このような問題を解決するためにドメイン指定受信という手法が採られている（例えば、非特許文献１参照）。このドメイン指定受信とは、予めユーザが受信しても良いドメインから送信されるメールの受信のみを許可するものである。一般に、迷惑メールを送信する業者は、パーソナルコンピュータ等のコンピュータを用いて複数のメールアドレスをランダムに生成して迷惑メールを送信するため、予め指定したドメインからのメールのみを受信するように設定しておくことにより、迷惑メールの受信を防止することができる。
【非特許文献１】"ドメイン指定受信"、[online]、エヌティティドコモ株式会社、[平成１５年８月２９日検索]、インターネット<URL:http://www.nttdocomo.co.jp/info/f/meiwaku.html>
【発明の開示】
【発明が解決しようとする課題】
【０００９】
上述したようなドメイン指定受信では、一般に、ユーザは大手のキャリア等のドメインからのメールのみを受信するように設定し、その他のプロバイダ等からのメールの受信は許可しないように設定する。これは、迷惑メールの大半がパーソナルコンピュータ等のコンピュータを用いてランダムに大量に生成され、このコンピュータから迷惑メールが送信されるため、大手のキャリア等のドメインからのメールのみを受信するように設定しておけば、他のドメインを有する迷惑メールを送信する業者からのメールを受信しなくて済む。
【００１０】
しかしながら、近年、大手のキャリア等のドメインになりすまして迷惑メールを送信する業者が増えてきている。このように、大手のキャリア等のドメインになりすまして迷惑メールを送信すると、ドメイン指定受信をしたとしても、迷惑メールを受信してしまう。
【００１１】
そこで、本発明は以上のような問題に鑑み、ドメインのなりすましによって迷惑メールを受信することを防止する電子メール受信拒否方法およびメールサーバを提供することを目的とする。
【課題を解決するための手段】
【００１２】
本発明の電子メール受信拒否方法は、キャリア等が運営するメールサーバに届いたメールの本文にＵＲＬが含まれているかを確認し、含まれていれば、メールサーバに格納されているユーザ情報記憶部を確認する。このユーザ情報記憶部には、メールサーバに届いたメールの本文中にＵＲＬが含まれている場合、ユーザの移動通信端末へのメール配信を拒否するか否かの配信拒否設定部と設定パスワード記憶部とが含まれている。配信拒否設定部を確認した結果、メール配信を拒否する設定になっている場合は、メールサーバに届いたメールの件名または本文等に配信パスワードが含まれているか否かの判定を行い、配信パスワードが含まれている場合は、配信パスワードと設定パスワードとを比較し、一致した場合にユーザの移動通信端末にメールを送信する。また、ＵＲＬが含まれているメールの配信を拒否しない設定になっている場合においても、ユーザの移動通信端末にメールを送信する。一方、ＵＲＬが含まれているメールの配信を拒否する設定になっている場合において、配信パスワードが含まれていない、または配信パスワードと設定パスワードとが一致しないときは、メールサーバに届いたメールの削除を行う。
【発明の効果】
【００１３】
本発明の電子メールの受信拒否方法およびメールサーバを用いることにより、移動体通信端末を利用している利用者が迷惑メールを受信することを抑止することができ、利用者にとって不利益が発生することを防止することができる。
【発明を実施するための最良の形態】
【００１４】
以下、本発明の電子メールの受信拒否方法およびメールサーバについて説明する。図１は、本発明のメールサーバを有する通信ネットワークシステムを示す概略構成図である。図１において、本発明の通信ネットワークシステムは、メールサーバ１と、コンピュータＰＣ１〜ＰＣｎと、基地局ＷＢ１〜ＷＢｎと、移動通信端末ＭＢ１〜ＭＢｎと、インターネット網２と、移動通信網３とを有して構成される。
【００１５】
コンピュータＰＣ１〜ＰＣｎは、パーソナルコンピュータやワークステーション等のコンピュータであり、公衆電話網、サービス統合ディジタル網、専用線網等を介して、インターネット網２に通信可能に接続される。移動通信端末ＭＢ１〜ＭＢｎは携帯電話やＰＨＳなどの移動可能な通信端末であり、基地局ＷＢ１〜ＷＢｎを介して移動通信網１２に無線回線を用いて通信可能に接続される。また、移動通信網３にはキャリアが運営するメールサーバ１が接続されており、このメールサーバ１は移動通信端末ＭＢ１〜ＭＢｎ間でのメールの送受信および移動通信端末ＭＢ１〜ＭＢｎとコンピュータＰＣ１〜ＰＣｎとの間で行われるメールの送受信の制御を行う。
【００１６】
図２は、本発明のメールサーバ１の概略構成図である。図２において、メールサーバ１は条件判定部１０とユーザ情報記憶部２０とを有して構成される。このうち、条件判定部１０は、ＵＲＬ検索部１１とユーザ特定部１２と配信パスワード検索部１３とパスワード判定部１４とを有して構成される。また、ユーザ情報記憶部２０は、ユーザ毎に個別に設けられる記憶領域であり、それぞれメールアドレス記憶部２１と配信拒否設定部２２と設定パスワード記憶部２３とを有して構成される。
【００１７】
図２に示されるように、メールアドレス記憶部２１は各ユーザのメールアドレスを個別に記憶する記憶領域である。また、配信拒否設定部２２は、ユーザ毎に設けられ、ＵＲＬ付きのメールがメールサーバ１に送られたときに、そのまま該当するユーザの移動通信端末に対してメールを配信するか、またはパスワードのチェックを行うか否かの設定を行う記憶領域である。設定パスワード記憶部２３は、ユーザ毎に設けられ、配信拒否設定部２２においてパスワードのチェックを行うとされているときに、予めユーザによって設定される設定パスワードを記憶する領域である。
【００１８】
次に、条件判定部１０のＵＲＬ検索手段１１は、メールサーバ１に送られたメールの本文を検索し、本文中に、「http://」から始まる文字列があるか否かの検索を行う手段である。ユーザ特定手段１１は、メールサーバ１に送られたメールの送信先メールアドレスから送信先のユーザの特定を行う手段である。配信パスワード検索手段１３は、メールサーバ１１に送られたメールの件名または本文に組み込まれている配信パスワードを検索する手段である。パスワード判定部１４は、ユーザ特定部１２により特定されたユーザの設定パスワード記憶部２３に記憶されている設定パスワードと、配信パスワード検索手段１３により検索された配信パスワードとを比較する手段である。
【００１９】
以上のように構成された本発明のメールサーバによる電子メール受信拒否方法について、図１乃至図６を用いて説明していく。
【００２０】
最初に、ユーザは、選択的に、迷惑メールの受信を拒否するための設定を行うために、メールサーバの配信拒否設定部２２および設定パスワード記憶部２３の設定を行う。以下、図３を用いて説明する。
【００２１】
図３において、ユーザは自身の移動通信端末ＭＢＵを用いてメールサーバ１０にメールサーバの配信拒否設定部２２および設定パスワード記憶部２３の設定を行う旨の設定処理要求のデータをメールサーバ１０に対して送信する。メールサーバ１０は、この設定処理要求のデータを受信したら、移動通信端末ＭＢＵのメールアドレスを特定するために、メールアドレスを取得するメールアドレス取得要求のデータを移動通信端末ＭＢＵに対して送信する。移動通信端末ＭＢＵは、メールアドレス取得要求のデータを受信したら、自身のメールアドレスのデータをメールサーバ１０に対して返信する。メールサーバ１０は、返信されたメールアドレスのデータを基に、どのユーザが配信拒否設定部２２および設定パスワード記憶部２３の設定を行うかの特定を行う。そして、該当するユーザのユーザ情報記憶部２０の配信拒否設定部２２に配信拒否の設定を行う旨の配信拒否設定要求のデータを移動通信端末ＭＢＵに対して送信する。移動通信端末ＭＢＵが配信拒否設定要求のデータを受信したら、ユーザは移動体通信端末ＭＢＵを用いて配信拒否設定登録のデータをメールサーバ１０に対して送信する。メールサーバ１０は、配信拒否設定登録のデータを受信したら、設定パスワードを設定するように設定パスワード設定要求のデータを移動通信端末ＭＢＵに対して送信する。移動通信端末ＭＢＵが設定パスワード設定要求のデータを受信したら、ユーザは設定パスワードを設定し、設定パスワード登録のデータをメールサーバ１０に対して返信する。
【００２２】
ここで、ユーザが設定する設定パスワードは、予め電話またはメール等の手段により本文にＵＲＬを含むメールの受信を許可する相手（例えば、友人または知人等）に知らせておく必要がある。すなわち、本文にＵＲＬが含まれたメールを、友人または知人等からは受信し、迷惑メールを送信する業者からは受信しないために、予め設定パスワードを通知する必要がある。以上により、迷惑メールの受信を拒否するための設定が行われたことになる。
【００２３】
次に、メールサーバ１０の処理について図４を用いて説明する。メールサーバ１０は、コンピュータＰＣ１〜ＰＣｎまたは移動通信端末ＭＢ１〜ＭＢｎからメールを受信すると（ステップＳ１）、メールの本文にＵＲＬが含まれているか否かを検索する（ステップＳ２）。ここでは、メールの本文中に「http://」から始まる文字列が含まれているか否かによりＵＲＬが含まれているか否かの判定を行うが、これに限られず、例えば「www」から始まる文字列が含まれている否かによって判定を行ってもよい。
【００２４】
メールの本文を検索し、ＵＲＬが含まれている否かの判定を行った結果（ステップＳ３）、含まれていない場合は、メールサーバ１０から移動通信網３、基地局ＷＢ１〜ＷＢｎを介してユーザの移動通信端末ＭＢＵに対してメールの送信を行う。これは以下の理由による。
【００２５】
通常、移動通信端末には、メールの本文中に「http://」から始まる文字列があると、ボタンを１回押下すればリンク先のサイトに接続できるように構成されている。迷惑メールを送信する業者は、このような移動通信端末に備わっている機能を利用して、ユーザを業者が運営しているサイトに誘導する。従って、メールの本文中にＵＲＬが含まれていない場合は、迷惑メールを送信する業者からのメールではないとして、そのままユーザの移動通信端末ＭＢＵにたいして  メールの送信を行う。
【００２６】
次に、ステップＳ３において、ＵＲＬが含まれていると判定された場合は、ユーザ情報の検索を行う（ステップＳ４）。このステップＳ４では、最初に、メールサーバ１０に送信されたメールの宛先から、ユーザ情報記憶部２０のどのユーザ宛てに送信されたメールかを検索する。そして、メールサーバ１０は、該当するユーザのユーザ情報記憶部２０の配信拒否設定部２２を確認し、配信拒否設定がされているか否かを確認する（ステップＳ５）。配信拒否設定がされていない場合は、ユーザが迷惑メールの配信拒否を設定していないとして、そのままメールサーバ１０に送信されたメールをユーザの移動通信端末ＭＢＵに対して送信する。一方、配信拒否設定がされている場合は、設定パスワード記憶部から設定パスワードを取得する（ステップＳ６）。そして、メールサーバ１０は、自身に送信されたメールの件名または本文から配信パスワードを取得し（ステップＳ７）、取得された設定パスワードと配信パスワードとを比較する（ステップＳ８）。比較の結果、一致している場合は、予め設定パスワードを通知した相手からのメールだと判定し、ユーザの移動通信端末ＭＢＵに対してメールを送信する（ステップＳ９）。一方、一致していない場合は、予め設定パスワードを通知していない相手、すなわち予め本文にＵＲＬが含まれているメールの受信を許可していない相手からのメールとして、メールサーバ１０はユーザの移動通信端末ＭＢＵにメールを送信することなく、メールサーバ１０においてメールの削除を行う（ステップＳ１０）。
【実施例１】
【００２７】
次に、本発明の実施例１について図１乃至図６を用いて説明する。本実施例で用いられる設定パスワードおよび配信パスワードは半角英数字４文字の「aaaa」であり、メールサーバ１は、メールの件名の先頭４文字を検索することにより配信パスワードを得るものとする。また、本実施例では、ユーザは、予め自身の移動通信端末ＭＢＵを用いて、メールサーバ１０の配信拒否設定部２２の配信拒否設定を行い、設定パスワード記憶部に半角英数文字４文字の「aaaa」を登録しておくものとする。
【００２８】
最初に、予め設定パスワードを通知している相手、例えば友人または知人等からユーザの移動通信端末ＭＢＵに対して、本文にＵＲＬが含まれているメールを送信する場合について説明する。
【００２９】
図５は、本文にＵＲＬが含まれているメールの受信を許可した友人または知人等がユーザに対してメールを送信するときに入力される画面を示す。図５に示されているように、予め設定パスワードが通知されているユーザの友人または知人等からユーザに対してＵＲＬが含まれているメールを送信するときは、件名の先頭に半角英数文字の「aaaa」を組み込んでから、記入した件名を記載する。そして、本文中には、「http://」から始まる文字列を記載して、ユーザにアクセスしてもらいたいＵＲＬを記入して、メールを送信する。このとき、予め設定パスワードが通知されている友人または知人等は、コンピュータＰＣ１〜ＰＣｎからメールを送信してもよいし、移動通信端末ＭＢ１〜ＭＢｎからメールを送信してもよい。
【００３０】
次に、コンピュータＰＣ１〜ＰＣｎまたは移動通信端末ＭＢ１〜ＭＢｎから送られたメールは、移動通信網３を介してメールサーバ１に送信される。メールサーバ１がメールを受信したら（ステップＳ１）、メールの本文にＵＲＬが含まれているか否かの検索を行う（ステップＳ２）。メールの本文中にはＵＲＬが含まれているので、ユーザ情報記憶部の検索を行う（ステップＳ４）。このとき、メールの宛先からユーザの配信拒否設定部２２を検索し、配信拒否設定部２２に配信拒否設定がされているか否かの確認を行う（ステップＳ５）。配信拒否設定部２２には、ユーザによって予め配信拒否設定が行われているので、メールサーバ１０は、設定パスワード記憶部２３から設定パスワードである「aaaa」を取得する（ステップＳ６）。そして、メールサーバ１０は、送信されてきたメールの件名の先頭４文字である「aaaa」を取得し（ステップＳ７）、設定パスワードと配信パスワードとを比較する（ステップＳ８）。設定パスワードおよび配信パスワードの両パスワードは「aaaa」であるので、パスワードが一致したものとして、ユーザの移動通信端末ＭＢＵに対してメールの送信を行う（ステップＳ９）。
【００３１】
以上により、予め設定パスワードを通知した相手からの本文にＵＲＬが含まれているメールの受信が行われる。
【００３２】
次に、予め設定パスワードを通知していない相手、例えば迷惑メールを送信する業者等からユーザの移動通信端末ＭＢＵに対して、本文にＵＲＬが含まれているメールを送信する場合について説明する。
【００３３】
図６は、予め設定パスワードを通知されていない相手、例えば迷惑メールを送信する業者がユーザに対してメールを送信するときに入力される画面を示す。図６に示されているように、迷惑メールを送信する業者は、予め設定パスワードが通知されていないので、件名に設定パスワードが組み込まれていないメールであり、且つ本文にＵＲＬが記載されているメールをユーザに対して送信する。ほとんどの場合、迷惑メールを送信する業者は、コンピュータを使ってランダムにメールアドレスを作成するので、作成されたメールアドレスをＰＣ１〜ＰＣｎから、インターネット網２および移動通信網３を介してメールサーバ１に送信される。メールサーバ１がメールを受信したら（ステップＳ１）、メールの本文にＵＲＬが含まれているか否かの検索を行う（ステップＳ２）。メールの本文中にはＵＲＬが含まれているので、ユーザ情報の検索を行う（ステップＳ４）。このとき、メールの宛先からユーザの配信拒否設定部２２を検索し、配信拒否設定部２２に配信拒否設定がされているか否かの確認を行う（ステップＳ５）。配信拒否設定部２２には、ユーザによって予め配信拒否設定が行われているので、メールサーバ１０は、設定パスワード記憶部２３から設定パスワードである「aaaa」を取得する（ステップＳ６）。そして、メールサーバ１０は、送信されてきたメールの件名の先頭に記載されている半角英数字４文字、すなわち全角文字２文字である「今日」を取得し（ステップＳ７）、設定パスワードと配信パスワードとを比較する（ステップＳ８）。設定パスワードは「aaaa」であるのに対して、配信パスワードのパスワードは「今日」であるので、パスワードが一致しないものとして、ユーザの移動通信端末ＭＢＵに対してメールの送信を行わず、メールサーバ１においてメールの削除を行う（ステップＳ１０）。
【００３４】
以上により、予め設定パスワードを通知していない、迷惑メールを送信する業者等からの本文にＵＲＬが含まれているメールは、ユーザの移動通信端末ＭＢＵに送信されず、メールサーバ１において削除が行われる。
【００３５】
以上のように、本実施例では、件名の先頭に半角英数字４文字を配信パスワードとして入れたが、これに限られず、例えば、図７のように本文の先頭に入れてもよい。
【００３６】
また、本実施例では、配信パスワードおよび設定パスワードを半角英数字４文字としたが、これに限られず、２文字や８文字など任意に設定してもよい。
【００３７】
さらに、本実施例では、件名の先頭に半角英数字４文字を配信パスワードとして入れたが、これに限られず、図８のように、配信パスワードを別項目として設けてもよい。
【００３８】
なお、本実施例の移動体通信端末は、携帯電話やＰＨＳ等を対象としたが、これに限られず、ＰＤＡ（Personal Digital Assistance）等の個人用携帯端末でもよい。
【００３９】
さらに、本実施例では、迷惑メールの受信側は移動体通信端末を対象に説明したが、これに限られず、受信側をパーソナルコンピュータ等のインターネット網２に有線接続されているコンピュータとしてもよい。
【００４０】
さらに、本実施例では、配信パスワードを予め通知する相手は友人または知人等としたが、これに限られず、例えば、情報を配信する業者であっても良い。このような場合、ユーザは、予め情報を配信する業者に対して予め配信パスワードを通知しておく必要がある。
【００４１】
以上のように、本実施例では、件名または本文の先頭等に配信パスワードを入れ、予め登録してある設定パスワードと配信パスワードとを比較し、一致したメールのみをユーザの移動通信端末ＭＢＵに送信することにより、迷惑メールを受信することを抑止することができる。すなわち、迷惑メールを送信する業者がランダムに生成したメールアドレスがユーザのメールアドレスと一致したとしても、迷惑メールを送信する業者が設定パスワードを知らない限り、ユーザの移動通信端末ＭＢＵに迷惑メールが送信されることがないからである。
【図面の簡単な説明】
【００４２】
【図１】本発明におけるメールサーバを含む通信ネットワークシステムの概略構成図である。
【図２】本発明におけるメールサーバの概略構成図である
【図３】本発明における移動通信端末とメールサーバとの間で行われるデータの授受を示す図である。
【図４】本発明におけるメールサーバが行う処理のフローチャートである。
【図５】本発明における予め設定パスワードを通知された相手がユーザにメールを送信するときの画面の一実施例を示す図である。
【図６】本発明における予め設定パスワード通知されていない相手がユーザにメールを送信するときの画面の一実施例を示す図である。
【図７】本発明において配信パスワードが本文中に組み込まれている一実施例を示す図である。
【図８】本発明において配信パスワードが別項目として設けられている一実施例を示す図である。
【符号の説明】
【００４３】
１  メールサーバ
１０  条件判定部
１１  ＵＲＬ検索手段
１２  ユーザ特定手段
１３  配信パスワード検索手段
１４  パスワード判定手段
２０  ユーザ情報記憶部
２１  メールアドレス記憶部
２２  配信拒否設定部
２３  設定パスワード記憶部
ＭＢ１〜ＭＢｎ  移動通信端末
ＰＣ１〜ＰＣｎ  コンピュータ
【図１】
2005086291.tif 000003
【図２】
2005086291.tif 000004
【図３】
2005086291.tif 000005
【図４】
2005086291.tif 000006
【図５】
2005086291.tif 000007
【図６】
2005086291.tif 000008
【図７】
2005086291.tif 000009
【図８】
2005086291.tif 000010